(57)【要約】      （修正有）【課題】操作性、特に、目的地情報の保存の操作性に優れた地図表示プログラムを提供する。【解決手段】ユーザーに目的地を選択させ、目的地の周辺にある一つ以上のランドマークをランドマーク保存手段から読み出し、読み出された一つ以上のランドマークを表示し、表示された一つ以上のランドマークからユーザーに一つのランドマークを選択させ、目的地と選択されたランドマークとの位置関係を求め、求められた位置関係と選択されたランドマークと目的地を関連づけて保存する。【選択図】図２
2016053701.tif 000002
【特許請求の範囲】
【請求項１】
ユーザーに目的地を選択させるステップと、
前期目的地の周辺にある一つ以上のランドマークをランドマーク保存手段から読み出すステップと、
前記読み出された一つ以上のランドマークを表示するステップと、
前記表示された一つ以上のランドマークから前記ユーザーに一つのランドマークを選択させるステップと、
前記目的地と前記選択されたランドマークとの位置関係を求めるステップと、
前記求められた位置関係と前記選択されたランドマークと前記目的地を関連づけて保存するステップと
を含む地図表示方法。
【請求項２】
さらに、前期読み出された一つ以上のランドマークのそれぞれに対して対応づけられた優先度データを読み出すステップと、
前記読み出された優先度データに応じて、前期読み出された一つ以上のランドマークのそれぞれの表示順、選択ボタンの大きさ、または、その両方を変更するステップを含む
請求項１に記載の地図表示方法。
【請求項３】
ユーザーに目的地を選択させる手順と、
前期目的地の周辺にある一つ以上のランドマークをランドマーク保存手段から読み出す手順と、
前記読み出された一つ以上のランドマークを表示する手順と、
前記表示された一つ以上のランドマークから前記ユーザーにひとつのランドマークを選択させる手順と、
前記目的地と前記選択されたランドマークとの位置関係を求める手順と、
前記求められた位置関係と前記選択されたランドマークと前記目的地を関連づけて保存する手順と
をコンピューターに実行させる地図表示プログラム。
【請求項４】
さらに、前期読み出された一つ以上のランドマークのそれぞれに対して対応づけられた優先度データを読み出す手順と、
前記読み出された優先度データに応じて、前期読み出された一つ以上のランドマークのそれぞれの表示順、選択ボタンの大きさ、または、その両方を変更する手順を
コンピューターに実行させる請求項３に記載の地図表示プログラム。
【請求項５】
ランドマーク情報保存手段、地図表示手段、目的地登録リストを備えた地図表示システムであって、
前記地図表示手段が、ユーザーに選択させた目的地周辺のランドマーク情報を前記ランドマーク情報保存手段から読み出し、前記目的地、前記ランドマーク情報、および、前記目的地と前記ランドマーク間の位置関係とを関連づけて前記目的地登録リストに保存する
地図表示システム。
【発明の詳細な説明】
【技術分野】
【０００１】
本願発明は地図表示プログラムにおけるユーザーの操作方法に関する。
【背景技術】
【０００２】
パーソナル・コンピューターやスマートフォン上で稼働する地図アプリケーション・プログラムやインターネットを介して提供される地図表示サービスが一般的になっている（以降では、両者を総称して地図ソフトと呼ぶ）。
【０００３】
地図ソフトでは、ユーザーの利便性を高めるための様々な工夫が行なわれている。使いやすさが地図ソフトの価値や収益性に大きく貢献するからである。
【０００４】
地図ソフトでは、保存したり他人に伝えたりするために地図上の場所を指定する手順が不可欠であり、この手順の利便性を高めることが望ましい。地図ソフト内部では場所を経度・緯度データで管理することが通常だが、経度・緯度データは人間にとって理解しやすいとは言い難いため、よりわかりやすい方法で地図上の場所を表現できることが望ましい。
【０００５】
住所番地による場所の指定機能が必要なのは言うまでもないが、通常、人に対してある目的地への行き方を説明する場合には、番地ではなく、何らかの目印となる建築物（ランドマーク）を手がかりとすることが多い店に注意が必要である。たとえば、Ａ郵便局の向かい、Ｂ交差点の北Ｘメートル等である。特に、あらゆる道路（ストリート）に名前が付いており道路上の標識によってストリート名が明確に表示されている欧米諸国と比較して、一部の都市を除き住所が道路の名前に基づいていない日本においては番地による場所の指定は必ずしも使いやすくない。したがって、番地よりもわかりやすい場所の指定方法が使用できることが望ましい。
【０００６】
たとえば、特許文献１では、ユーザーが地図上に自分の好みのランドマークを表示できる技術が開示されている。しかし、今日の地図ソフトは特許文献１の出願時点と比較してはるかに多くのデータを扱えるようになっており、既にランドマークは地図上に十分に存在する可能性が高い。このランドマークを利用して地図上の場所を指定できるようにすることが望ましい。
【０００７】
また、地図ソフトは広告機能による収益化の可能性が大きい。広告主の依頼に応じて地図上に特定の場所を表示することで広告料収益を得るビジネスは公知だが（特許文献２）、この可能性をさらに進めることが望ましい。
【先行技術文献】
【特許文献】
【０００８】
【特許文献１】米国特許登録公報８２８９４３７号
【特許文献２】登録公報２７５６４８３号
【発明の概要】
【発明が解決しようとする課題】
【０００９】
地図ソフトにおける場所情報をわかりやすく識別し、保存可能にする。
【課題を解決するための手段】
【００１０】
本願発明は、ユーザーに目的地を選択させるステップと、前期目的地の周辺にある一つ以上のランドマークをランドマーク保存手段から読み出すステップと、前記読み出された一つ以上のランドマークを表示するステップと、前記表示された一つ以上のランドマークから前記ユーザーに一つのランドマークを選択させるステップと、前記目的地と前記選択されたランドマークとの位置関係を求めるステップと、前記求められた位置関係と前記選択されたランドマークと前記目的地を関連づけて保存するステップとを含む地図表示方法を提供することによって前記課題を解決する。
【００１１】
また、本願発明は、さらに、前期読み出された一つ以上のランドマークのそれぞれに対して対応づけられた優先度データを読み出すステップと、前記読み出された優先度データに応じて、前期読み出された一つ以上のランドマークのそれぞれの表示順、選択ボタンの大きさ、または、その両方を変更するステップを含む段落００１０に記載の地図表示方法を提供することによって前記課題を解決する。
【００１２】
また、本願発明は、ユーザーに目的地を選択させる手順と、前期目的地の周辺にある一つ以上のランドマークをランドマーク保存手段から読み出す手順と、前記読み出された一つ以上のランドマークを表示する手順と、前記表示された一つ以上のランドマークから前記ユーザーにひとつのランドマークを選択させる手順と、前記目的地と前記選択されたランドマークとの位置関係を求める手順と、前記求められた位置関係と前記選択されたランドマークと前記目的地を関連づけて保存する手順とをコンピューターに実行させる地図表示プログラムを提供することによって前記課題を解決する。
【００１３】
また、本願発明は、さらに、前期読み出された一つ以上のランドマークのそれぞれに対して対応づけられた優先度データを読み出す手順と、前記読み出された優先度データに応じて、前期読み出された一つ以上のランドマークのそれぞれの表示順、選択ボタンの大きさ、または、その両方を変更する手順をコンピューターに実行させる段落００１２に記載の地図表示プログラムを提供することによって前記課題を解決する。
【００１４】
また、本願発明は、ランドマーク情報保存手段、地図表示手段、目的地登録リストを備えた地図表示システムであって、前記地図表示手段が、ユーザーに選択させた目的地周辺のランドマーク情報を前記ランドマーク情報保存手段から読み出し、前記目的地、前記ランドマーク情報、および、前記目的地と前記ランドマーク間の位置関係とを関連づけて前記目的地登録リストに保存する地図表示システムを提供することによって前記課題を解決する。
【発明の効果】
【００１５】
地図ソフトにおける目的地の識別・保存が容易になる。
【図面の簡単な説明】
【００１６】
【図１】本願発明に係る地図表示プログラムを含むシステムの一例の全体図である。
【図２】本願発明に係る地図表示プログラムの画面と操作方法の一例である。
【図３】本願発明に係る地図表示プログラムのフローチャートの一例である。
【発明を実施するための形態】
【００１７】
図１に本願発明に係る地図表示プログラムを含むシステムの一例の全体図を示す。
地図情報データベース（１０１）は、道路等の地図として表示される対象物（道路や建物等）の経度・緯度や属性データを保存する手段である。ランドマーク情報データベース（１０２）は、地図上の目印となり得る大型の建物、公共施設、および、交差点名などに関するデータ（名称、位置情報（経度・緯度）、分類（たとえば、公共施設、駅、飲食店等））を保存する手段である。典型的には、地図情報データベース（１０１）とランドマーク情報データベース（１０２）は同じデータベースとして管理される。ネットワーク（１０３）は典型的にはインターネットである。地図情報データベース（１０１）、ランドマーク情報データベース（１０２）、および、ネットワーク（１０３）は、地図表示システムにおける周知技術であるのでこれ以上説明しない。
【００１８】
地図表示プログラム（１０４）は、パーソナル・コンピューター、スマートフォン、タブレット端末、カーナビゲーション機器等で稼働するコンピューター・プログラムであり、地図の表示、および、ユーザーのやり取りを行なう。
【００１９】
目的地登録リスト（１０５）は、地図表示プログラム（１０４）のユーザーが地図上の場所を後の使用のために保存しておくための手段である。
【００２０】
地図表示プログラム（１０４）は、ユーザー側の機器（クライアント）だけではなくネットワーク上の任意の場所で稼働してよい。また、複数の場所で分散稼働してもよい。たとえば、サーバ側で地図の描画データを作成し、パーソナル・コンピューター（クライアント）上のブラウザーがその描画データを表示する構成は周知である。目的地登録リスト（１０５）もサーバ側にあっても、クライアント側にあっても、その両方にあってもよい。
【００２１】
同様に、地図情報データベース（１０１）とランドマーク情報データベース（１０２）もネットワーク上の任意の場所にあってよい。たとえば、ネットワーク接続を介さないカーナビゲーション機器では、地図情報データベース（１０１）とランドマーク情報データベース（１０２）（そして、地図表示プログラム（１０４）と目的地登録リスト（１０５））がすべてユーザー側の機器（クライアント）で稼働することが通常である。
【００２２】
図２に、本願発明に係る地図表示プログラム（１０４）の画面と操作方法の例を示す。図２−ａにおいて、ユーザーが目的地を指定する必要があるとする。典型的には、地点名を保存して、後で参照しやすくするケースである。従来の地図ソフトでは、その目的地がランドマーク（目印となる商業施設や公共施設）でない限り、番地や経度・緯度データを使用するか、あるいは、自分で独自の名称を付けるしかなかった。
【００２３】
本願発明に係る地図ソフトでは、図２−ｂに示すように、目的地の近隣にあるランドマーク（この例では、ビル名、書店、駅名、施設名）が自動的に表示される。ユーザーはこのランドマークから一番わかりやすいものを選択することができる。従来通り、経度・緯度データや番地データを入力できるようにしてもよい。また、一時的な記憶の助けとして現在時刻を入力できるようにしてもよい。
【００２４】
図２−ｂにおいてユーザーがランドマークを選択すると、図２−ｃに示すように目的地とそのランドマークの位置関係を表わす位置関係表示の選択肢が表示される。位置関係表示とは距離、距離と方角、方角と徒歩時間、道路のブロック数、道路のブロック数と方角等である。
【００２５】
図２−ｄに示すように、ユーザーは簡単な操作で目的地をわかりやすい名称で保存することができる。
【００２６】
図３に、上記の例に相当する操作を行なった際の地図表示プログラム（１０４）のフローチャートを示す。各ブロック内の個別の処理、たとえば、ランドマークの位置と目的地の位置から距離の算出等は従来の地図ソフトで実行されている公知技術なので、ここではさらに説明しない。
【００２７】
上記の機能に加えて、ランドマーク情報データベース（１０２）にランドマークの表示優先度データを保存し、優先度データに応じて、ランドマークの選択ボタンの表示順を変えるようにしてもよい。また、優先度データに応じて、ランドマークの選択ボタンの大きさや色を変えるようにしてもよい。この際に、事前の契約に基づき、ランドマークの関連企業からの広告料支払に応じて優先度データを決定するようにしてもよい。このようなやり方を取ることで。多額の広告料を支払った企業はランドマークとして使用される頻度が増すことで広告効果を向上できる。
【００２８】
また、目的地とランドマーク間の位置関係データの表示においても、同様に、保存された優先度データに応じて、表示順や選択ボタンの大きさを変更するようにしてよい。また、優先度データを広告料に応じて決定するようにしてよい。
【００２９】
ランドマークとして使用された回数をランドマーク情報データベース（１０２）に保存しておき、事前の契約に基づき、使用回数に応じた広告料を広告主に請求するようにしてもよい。
【図１】
2016053701.tif 000003
【図２】
2016053701.tif 000004
【図３】
2016053701.tif 000005